【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
住居に配設される電化機器と、
前記電化機器とコンセントとの間に配設され、前記電化機器に対して供給される電流を少なくとも計測する電気計測器とを、備えており、
前記電気計測器は、
前記電化機器への電気の供給状況に応じて、前記住居に存する居住者の生存に関する情報の安否確認メールを、当該電気計測器が接続される所定のネットワークに対して送出する、
ことを特徴とする居住者生存情報通知システム。
【請求項２】
前記電気計測器は、
所定の期間以内に、所定回数以上、前記電化機器の主電源のＯＮ−ＯＦＦサイクルを検知したときには、前記居住者に関する生存情報メールを前記安否確認メールとして送信する、
ことを特徴とする請求項１に記載の居住者生存情報通知システム。
【請求項３】
前記所定回数は、
２以上であり、
前記所定の期間以内に、１以上前記所定回数未満である、前記電化機器の前記主電源のＯＮ−ＯＦＦサイクルを検知したときには、前記電気計測器は、
所定の時間以上前記主電源がＯＮであることを検知したとき、前記居住者に関する生存情報メールを前記安否確認メールとして送信する、
ことを特徴とする請求項２に記載の居住者生存情報通知システム。
【請求項４】
前記所定回数は、
２以上であり、
前記所定の期間以内に、１以上前記所定回数未満である、前記電化機器の前記主電源のＯＮ−ＯＦＦサイクルを検知したときには、前記電気計測器は、
所定の時間未満前記主電源がＯＮであることを検知したとき、前記居住者に関する注意喚起メールを前記安否確認メールとして送信する、
ことを特徴とする請求項２に記載の居住者生存情報通知システム。
【請求項５】
前記電気計測器は、
前記所定の期間経過前に、前記所定回数以上の前記主電源のＯＮ−ＯＦＦサイクルを検知したときには、当該検知のタイミングで、前記居住者に関する生存情報メールを前記安否確認メールとして送信する、
ことを特徴とする請求項２に記載の居住者生存情報通知システム。
【請求項６】
前記電気計測器は、
前記安否確認メールを送信した後、
前記主電源のＯＮ−ＯＦＦサイクル回数をリセットし、
その後、前記主電源のＯＮ−ＯＦＦサイクルの計測を再開する、
ことを特徴とする請求項５に記載の居住者生存情報通知システム。
【請求項７】
前記電気計測器は、
前記所定の期間経過後に、当該所定の期間以内に発生した前記主電源のＯＮ−ＯＦＦサイクル履歴情報を、前記所定のネットワークに対して送出する、
ことを特徴とする請求項５に記載の居住者生存情報通知システム。
【請求項８】
前記電気計測器は、
前記所定の期間に、前記所定回数以上の前記主電源のＯＮ−ＯＦＦサイクルを検知したときには、前記所定の期間経過後に、前記居住者に関する生存情報メールを前記安否確認メールとして送信する、
ことを特徴とする請求項２に記載の居住者生存情報通知システム。
【請求項９】
前記電気計測器は、
所定の期間以内に、前記電化機器の主電源のＯＮ−ＯＦＦサイクルを一度も検知しないときには、前記居住者に関する異常情報メールを前記安否確認メールとして送信する、
ことを特徴とする請求項１に記載の居住者生存情報通知システム。
【請求項１０】
前記電気計測器は、
前記電化機器の主電源のＯＮ状態が所定の時間以上連続していることを検知したときには、前記居住者に関する異常情報メールを前記安否確認メールとして送信する、
ことを特徴とする請求項１に記載の居住者生存情報通知システム。
【請求項１１】
住居に配設される複数の電化機器と、
各前記電化機器とコンセントとの間に各々配設され、前記電化機器に対して供給される電流を少なくとも計測する複数の電気計測器とを、備えており、
前記複数の電気計測器のうち、一の電気計測器は、
当該一の電気計測器が接続される前記電化機器への電力量に関する電力量情報を、当該一の電気計測器が接続される所定のネットワークを介して、他の電気計測器へ送信し、
前記他の電気計測器は、
前記一の電気計測器から送信された前記電力量情報と前記他の電気計測器が接続される前記電化機器への電力量に関する情報とを集計し、
前記集計の結果に応じて、前記住居に存する居住者の生存に関する情報の安否確認メールを、当該他の電気計測器が接続される前記所定のネットワークに対して送出する、
ことを特徴とする居住者生存情報通知システム。
【請求項１２】
前記他の電気計測器は、
前記集計の結果、所定の期間以内に、何れかの前記電化機器の主電源のＯＮ−ＯＦＦサイクルが所定回数以上であることを検知したときには、前記居住者に関する生存情報メールを前記安否確認メールとして送信する、
ことを特徴とする請求項１１に記載の居住者生存情報通知システム。
【請求項１３】
前記所定回数は、
２以上であり、
前記集計の結果、何れの前記電化機器においても前記主電源のＯＮ−ＯＦＦサイクルが、前記所定の期間以内に、１以上前記所定回数未満であることを検知したときには、前記他の電気計測器は、
前記集計の結果、所定の時間以上、前記主電源がＯＮである前記電化機器の台数が所定台数以上であることを検知したとき、前記居住者に関する生存情報メールを前記安否確認メールとして送信する、
ことを特徴とする請求項１２に記載の居住者生存情報通知システム。
【請求項１４】
前記所定回数は、
２以上であり、
前記集計の結果、何れの前記電化機器においても前記主電源のＯＮ−ＯＦＦサイクルが、前記所定の期間以内に、１以上前記所定回数未満であることを検知したときには、前記他の電気計測器は、
前記集計の結果、所定の時間以上、前記主電源がＯＮである前記電化機器の台数が所定台数未満であることを検知したとき、前記居住者に関する注意喚起メールを前記安否確認メールとして送信する、
ことを特徴とする請求項１２に記載の居住者生存情報通知システム。
【請求項１５】
前記他の電気計測器は、
前記所定の期間経過前に、何れかの前記電化機器の前記主電源のＯＮ−ＯＦＦサイクルが所定回数以上であることを検知したときには、当該検知のタイミングで、前記居住者に関する生存情報メールを前記安否確認メールとして送信する、
ことを特徴とする請求項１２に記載の居住者生存情報通知システム。
【請求項１６】
前記他の電気計測器が、前記安否確認メールを送信した後、各前記電気計測器は、
前記主電源のＯＮ−ＯＦＦサイクル回数をリセットし、
その後、前記主電源のＯＮ−ＯＦＦサイクルの計測を再開する、
ことを特徴とする請求項１５に記載の居住者生存情報通知システム。
【請求項１７】
前記他の電気計測器は、
前記所定の期間経過後に、当該所定の期間以内に発生した各前記電化機器の前記主電源のＯＮ−ＯＦＦサイクル履歴情報を、前記所定のネットワークに対して送出する、
ことを特徴とする請求項１５に記載の居住者生存情報通知システム。
【請求項１８】
前記他の電気計測器は、
前記集計の結果、前記所定の期間以内に、何れかの前記電化機器の前記主電源のＯＮ−ＯＦＦサイクルが前記所定回数以上であることを検知したときには、前記所定の期間経過後に、前記居住者に関する生存情報メールを前記安否確認メールとして送信する、
ことを特徴とする請求項１２に記載の居住者生存情報通知システム。
【請求項１９】
前記他の電気計測器は、
前記集計の結果、所定の期間以内に、何れの前記電化機器においても主電源のＯＮ−ＯＦＦサイクルが一度も無いことを検知したときには、前記居住者に関する異常情報メールを前記安否確認メールとして送信する、
ことを特徴とする請求項１１に記載の居住者生存情報通知システム。
【請求項２０】
前記一の電気計測器は、
当該一の電気計測器が接続される前記電化機器の主電源のＯＮ状態が所定の時間以上連続していることを検知したときには、連続ＯＮ情報を前記他の電気計測器に送信し、
前記他の電気計測器は、
前記連続ＯＮ情報を受信したとき、前記居住者に関する異常情報メールを前記安否確認メールとして送信する、
ことを特徴とする請求項１１に記載の居住者生存情報通知システム。
【請求項２１】
前記他の電気計測器は、
前記居住者が正常であると判断する第一の条件と、前記居住者の生存確認の必要性があると判断する第二の条件とを、有しており、
前記集計の結果、前記第一の条件を満たすとき、前記居住者に関する生存情報メールを前記安否確認メールとして送信し、
前記集計の結果、前記第二の条件を満たすとき、前記居住者に関する注意喚起メールを前記安否確認メールとして送信し、
前記第一の条件は、
少なくとも、第一の前記電気計測器が計測する第一の電力量供給態様条件と、第二の前記電気計測器が計測する第二の電力量供給態様条件との、ＡＮＤ条件であり、
前記第二の条件は、
少なくとも、第三の前記電気計測器が計測する第三の電力量供給態様条件から構成されている、
ことを特徴とする請求項１１に記載の居住者生存情報通知システム。
【請求項２２】
前記所定のネットワークは、
電力線通信ネットワークである、
ことを特徴とする請求項１または請求項１１に記載の居住者生存情報通知システム。
【請求項２３】
住居に配設される複数の電化機器と、
各前記電化機器とコンセントとの間に各々配設され、前記電化機器に対して供給される電流を少なくとも計測する複数の電気計測器と、
前記電気計測器と所定のネットワークを介して接続されるメール送信器とを、備えており、
前記電気計測器は、
当該電気計測器が接続される前記電化機器への電力量に関する電力量情報を、前記所定のネットワークを介して、前記メール送信器へ送信し、
前記メール送信器は、
前記電気計測器から送信された前記電力量情報を集計し、当該集計の結果に応じて、前記住居に存する居住者の生存に関する情報の安否確認メールを、電気通信回線に対して送出する、
ことを特徴とする居住者生存情報通知システム。
【請求項２４】
前記所定のネットワークは、
電力線通信ネットワークである、
ことを特徴とする請求項２３に記載の居住者生存情報通知システム。
【請求項２５】
前記メール送信器は、
異なる通信プロトコル間でのデータの送受信を可能せしめるゲートウェイ機能を、有している、
ことを特徴とする請求項２４に記載の居住者生存情報通知システム。
【請求項２６】
各前記電気計測器は、
電力線通信ネットワークで接続されおり、
前記メール送信器は、
前記電力線通信ネットワークと異なるネットワーク系統に配設されている、
ことを特徴とする請求項２３に記載の居住者生存情報通知システム。
【請求項２７】
前記メール送信器は、
前記集計の結果、所定の期間以内に、何れかの前記電化機器の主電源のＯＮ−ＯＦＦサイクルが所定回数以上であることを検知したときには、前記居住者に関する生存情報メールを前記安否確認メールとして送信する、
ことを特徴とする請求項２３に記載の居住者生存情報通知システム。
【請求項２８】
前記所定回数は、
２以上であり、
前記集計の結果、何れの前記電化機器においても前記主電源のＯＮ−ＯＦＦサイクルが、前記所定の期間以内に、１以上前記所定回数未満であることを検知したときには、前記メール送信器は、
前記集計の結果、所定の時間以上前記主電源がＯＮである前記電化機器の台数が所定台数以上であることを検知したとき、前記居住者に関する生存情報メールを前記安否確認メールとして送信する、
ことを特徴とする請求項２７に記載の居住者生存情報通知システム。
【請求項２９】
前記所定回数は、
２以上であり、
前記集計の結果、何れの前記電化機器においても前記主電源のＯＮ−ＯＦＦサイクルが、前記所定の期間以内に、１以上前記所定回数未満であることを検知したときには、前記メール送信器は、
前記集計の結果、所定の時間以上前記主電源がＯＮである前記電化機器の台数が所定台数未満であることを検知したとき、前記居住者に関する注意喚起メールを前記安否確認メールとして送信する、
ことを特徴とする請求項２７に記載の居住者生存情報通知システム。
【請求項３０】
前記メール送信器は、
前記所定の期間経過前に、何れかの前記電化機器の前記主電源のＯＮ−ＯＦＦサイクルが所定回数以上であることを検知したときには、当該検知のタイミングで、前記居住者に関する生存情報メールを前記安否確認メールとして送信する、
ことを特徴とする請求項２７に記載の居住者生存情報通知システム。
【請求項３１】
前記メール送信器が、前記安否確認メールを送信した後、各前記電気計測器は、
前記主電源のＯＮ−ＯＦＦサイクル回数をリセットし、
その後、前記主電源のＯＮ−ＯＦＦサイクルの計測を再開する、
ことを特徴とする請求項３０に記載の居住者生存情報通知システム。
【請求項３２】
前記メール送信器は、
前記所定の期間経過後に、各前記電気計測器から送信された、前記所定の期間以内に発生した各前記電化機器の前記主電源のＯＮ−ＯＦＦサイクル履歴情報を、前記電気通信回線に対して送出する、
ことを特徴とする請求項３０に記載の居住者生存情報通知システム。
【請求項３３】
前記メール送信器は、
前記集計の結果、前記所定の期間以内に、何れかの前記電化機器の前記主電源のＯＮ−ＯＦＦサイクルが前記所定回数以上であることを検知したときには、前記所定の期間経過後に、前記居住者に関する生存情報メールを前記安否確認メールとして送信する、
ことを特徴とする請求項２７に記載の居住者生存情報通知システム。
【請求項３４】
前記メール送信器は、
前記集計の結果、所定の期間以内に、何れの前記電化機器においても主電源のＯＮ−ＯＦＦサイクルが一度も無いことを検知したときには、前記居住者に関する異常情報メールを前記安否確認メールとして送信する、
ことを特徴とする請求項２３に記載の居住者生存情報通知システム。
【請求項３５】
前記電気計測器は、
当該電気計測器が接続される前記電化機器の主電源のＯＮ状態が所定の時間以上連続していることを検知したときには、連続ＯＮ情報を前記メール送信器に送信し、
前記メール送信器は、
前記連続ＯＮ情報を受信したとき、前記居住者に関する異常情報メールを前記安否確認メールとして送信する、
ことを特徴とする請求項２３に記載の居住者生存情報通知システム。
【請求項３６】
前記メール送信器は、
前記居住者が正常であると判断する第一の条件と、前記居住者の生存確認の必要性があると判断する第二の条件とを、有しており、
前記集計の結果、前記第一の条件を満たすとき、前記居住者に関する生存情報メールを前記安否確認メールとして送信し、
前記集計の結果、前記第二の条件を満たすとき、前記居住者に関する注意喚起メールを前記安否確認メールとして送信し、
前記第一の条件は、
少なくとも、第一の前記電気計測器が計測する第一の電力量供給態様条件と、第二の前記電気計測器が計測する第二の電力量供給態様条件との、ＡＮＤ条件であり、
前記第二の条件は、
少なくとも、第三の前記電気計測器が計測する第三の電力量供給態様条件から構成されている、
ことを特徴とする請求項２３に記載の居住者生存情報通知システム。
【請求項３７】
前記住居に設置されるセンサーを、さらに備えており、
前記電気計測器、前記他の電気計測器または前記メール送信器は、
前記センサーの出力結果をも加味して、前記安否確認メールを送出する、
ことを特徴とする請求項１、請求項１１または請求項２３に記載の居住者生存情報通知システム。
【請求項３８】
前記所定のネットワークとは異なるネットワーク系統に属する端末を、さらに備えており、
前記電気計測器は、
前記電化機器への電流の供給を遮断することができるリレーを、備えており、
前記端末から送信される遠隔操作信号に応じて、前記リレーが制御される、
ことを特徴とする請求項１、請求項１１または請求項２３に記載の居住者生存情報通知システム。
【請求項３９】
前記所定のネットワークとは異なるネットワーク系統に属する端末を、さらに備えており、
前記電気計測器と前記電化機器とは、電源制御信号伝送線により接続されており、
前記電気計測器は、
前記端末から送信される遠隔操作信号に応じて、前記電化機器の主電源を制御する電源制御信号を、前記電源制御信号伝送線に対して送信する、
ことを特徴とする請求項１、請求項１１または請求項２３に記載の居住者生存情報通知システム。
【請求項４０】
前記所定のネットワークとは異なるネットワーク系統に属する端末と、
前記電化機器の主電源を遠隔制御するリモートコントローラとを、さらに備えており、
前記電気計測器は、
前記端末から送信される遠隔操作信号に応じて制御信号を、前記リモートコントローラに対して送信し、
前記リモートコントローラは、
前記電気計測器から送信される前記制御信号に応じて、前記電化機器の主電源を制御する電源制御信号を、前記電化機器に対して送信する、
ことを特徴とする請求項１、請求項１１または請求項２３に記載の居住者生存情報通知システム。
【請求項４１】
前記端末は、
表示部を、備えており、
前記電気計測器、前記他の電気計測器または前記メール送信器から送出される、前記電化機器の前記居住者に関する異常情報メールを受信したとき、前記端末は、
前記異常情報メールに付加されているアドレスにアクセスし、
前記アドレスへのアクセスの結果、前記表示部において表示される操作画面に基づいて、前記遠隔操作信号送信の処理を実施する、
ことを特徴とする請求項３８乃至請求項４０の何れかに記載の居住者生存情報通知システム。
【請求項４２】
前記所定のネットワークとは異なるネットワーク系統に属する端末と、
前記住居外の所定の施設に対して異常を通知する、前記住居内に配設される通知手段とを、さらに備えており、
前記電気計測器と前記通知手段とは、制御信号伝送線により接続されており、
前記電気計測器は、
前記端末から送信される遠隔操作信号に応じて、前記制御信号伝送線を介して前記通知手段へ、制御信号を送信し、
前記通知手段は、
前記制御信号を受信することにより、前記所定の施設に対して異常を通知する、
ことを特徴とする請求項１、請求項１１または請求項２３に記載の居住者生存情報通知システム。
【請求項４３】
前記電気計測器、前記他の電気計測器、または前記メール送信器は、
前記所定の期間と前記所定回数とからなる対パラメータを、複数対、記憶する記憶部と、
前記記憶部に記憶されている前記複数対の対パラメータから、一の対パラメータを選択する選択部とを、備えている、
ことを特徴とする請求項２、請求項１２または請求項２７に記載の居住者生存情報通知システム。
【請求項４４】
前記電気計測器、前記他の電気計測器、または前記メール送信器は、
複数の前記所定の期間を記憶する記憶部と、
前記記憶部に記憶されている複数の前記所定の期間から、一の前記所定の期間を選択する選択部とを、備えている、
ことを特徴とする請求項９、請求項１９または請求項３４に記載の居住者生存情報通知システム。
【請求項４５】
前記他の電気計測器または前記メール送信器は、
複数の電力量供給態様条件を記憶する記憶部と、
前記記憶部に記憶されている複数の前記電力量供給態様条件から、前記第一乃至第三の電力量供給態様条件を各々選択する選択部とを、備えている、
ことを特徴とする請求項２１または請求項３６に記載の居住者生存情報通知システム。
【手続補正２】
【補正対象書類名】明細書
【補正対象項目名】００１０
【補正方法】変更
【補正の内容】
【００１０】
上記の目的を達成するために、本発明に係る請求項１に記載の居住者生存情報通知システムは、住居に配設される電化機器と、前記電化機器とコンセントとの間に配設され、前記電化機器に対して供給される電流を少なくとも計測する電気計測器とを、備えており、前記電気計測器は、前記電化機器への電気の供給状況に応じて、前記住居に存する居住者の生存に関する情報の安否確認メールを、当該電気計測器が接続される所定のネットワークに対して送出する。
【手続補正３】
【補正対象書類名】明細書
【補正対象項目名】００１１
【補正方法】変更
【補正の内容】
【００１１】
また、本発明に係る請求項２に記載の居住者生存情報通知システムは、請求項１に記載の居住者生存情報通知システムであって、前記電気計測器は、所定の期間以内に、所定回数以上、前記電化機器の主電源のＯＮ−ＯＦＦサイクルを検知したときには、前記居住者に関する生存情報メールを前記安否確認メールとして送信する。
【手続補正４】
【補正対象書類名】明細書
【補正対象項目名】００１２
【補正方法】変更
【補正の内容】
【００１２】
また、本発明に係る請求項３に記載の居住者生存情報通知システムは、請求項２に記載の居住者生存情報通知システムであって、前記所定回数は、２以上であり、前記所定の期間以内に、１以上前記所定回数未満である、前記電化機器の前記主電源のＯＮ−ＯＦＦサイクルを検知したときには、前記電気計測器は、所定の時間以上前記主電源がＯＮであることを検知したとき、前記居住者に関する生存情報メールを前記安否確認メールとして送信する。
【手続補正５】
【補正対象書類名】明細書
【補正対象項目名】００１３
【補正方法】変更
【補正の内容】
【００１３】
また、本発明に係る請求項４に記載の居住者生存情報通知システムは、請求項２に記載の居住者生存情報通知システムであって、前記所定回数は、２以上であり、前記所定の期間以内に、１以上前記所定回数未満である、前記電化機器の前記主電源のＯＮ−ＯＦＦサイクルを検知したときには、前記電気計測器は、所定の時間未満前記主電源がＯＮであることを検知したとき、前記居住者に関する注意喚起メールを前記安否確認メールとして送信する。
【手続補正６】
【補正対象書類名】明細書
【補正対象項目名】００１４
【補正方法】変更
【補正の内容】
【００１４】
また、本発明に係る請求項５に記載の居住者生存情報通知システムは、請求項２に記載の居住者生存情報通知システムであって、前記電気計測器は、前記所定の期間経過前に、前記所定回数以上の前記主電源のＯＮ−ＯＦＦサイクルを検知したときには、当該検知のタイミングで、前記居住者に関する生存情報メールを前記安否確認メールとして送信する。
【手続補正７】
【補正対象書類名】明細書
【補正対象項目名】００１５
【補正方法】変更
【補正の内容】
【００１５】
また、本発明に係る請求項６に記載の居住者生存情報通知システムは、請求項５に記載の居住者生存情報通知システムであって、前記電気計測器は、前記安否確認メールを送信した後、前記主電源のＯＮ−ＯＦＦサイクル回数をリセットし、その後、前記主電源のＯＮ−ＯＦＦサイクルの計測を再開する。
【手続補正８】
【補正対象書類名】明細書
【補正対象項目名】００１６
【補正方法】変更
【補正の内容】
【００１６】
また、本発明に係る請求項７に記載の居住者生存情報通知システムは、請求項５に記載の居住者生存情報通知システムであって、前記電気計測器は、前記所定の期間経過後に、当該所定の期間以内に発生した前記主電源のＯＮ−ＯＦＦサイクル履歴情報を、前記所定のネットワークに対して送出する。
【手続補正９】
【補正対象書類名】明細書
【補正対象項目名】００１７
【補正方法】変更
【補正の内容】
【００１７】
また、本発明に係る請求項８に記載の居住者生存情報通知システムは、請求項２に記載の居住者生存情報通知システムであって、前記電気計測器は、前記所定の期間に、前記所定回数以上の前記主電源のＯＮ−ＯＦＦサイクルを検知したときには、前記所定の期間経過後に、前記居住者に関する生存情報メールを前記安否確認メールとして送信する。
【手続補正１０】
【補正対象書類名】明細書
【補正対象項目名】００１８
【補正方法】変更
【補正の内容】
【００１８】
また、本発明に係る請求項９に記載の居住者生存情報通知システムは、請求項１に記載の居住者生存情報通知システムであって、前記電気計測器は、所定の期間以内に、前記電化機器の主電源のＯＮ−ＯＦＦサイクルを一度も検知しないときには、前記居住者に関する異常情報メールを前記安否確認メールとして送信する。
【手続補正１１】
【補正対象書類名】明細書
【補正対象項目名】００１９
【補正方法】変更
【補正の内容】
【００１９】
また、本発明に係る請求項１０に記載の居住者生存情報通知システムは、請求項１に記載の居住者生存情報通知システムであって、前記電気計測器は、前記電化機器の主電源のＯＮ状態が所定の時間以上連続していることを検知したときには、前記居住者に関する異常情報メールを前記安否確認メールとして送信する。
【手続補正１２】
【補正対象書類名】明細書
【補正対象項目名】００２０
【補正方法】変更
【補正の内容】
【００２０】
また、本発明に係る請求項１１に記載の居住者生存情報通知システムは、住居に配設される複数の電化機器と、各前記電化機器とコンセントとの間に各々配設され、前記電化機器に対して供給される電流を少なくとも計測する複数の電気計測器とを、備えており、前記複数の電気計測機器のうち、一の電気計測器は、当該一の電気計測器が接続される前記電化機器への電力量に関する電力量情報を、当該一の電気計測器が接続される所定のネットワークを介して、他の電気計測器へ送信し、前記他の電気計測器は、前記一の電気計測器から送信された前記電力量情報と前記他の電気計測器が接続される前記電化機器への電力量に関する情報とを集計し、前記集計の結果に応じて、前記住居に存する居住者に関する情報の安否確認メールを、当該他の電気計測器が接続される前記所定のネットワークに対して送出する。
【手続補正１３】
【補正対象書類名】明細書
【補正対象項目名】００２１
【補正方法】変更
【補正の内容】
【００２１】
また、本発明に係る請求項１２に記載の居住者生存情報通知システムは、請求項１１に記載の居住者生存情報通知システムであって、前記他の電気計測器は、前記集計の結果、所定の期間以内に、何れかの前記電化機器の主電源のＯＮ−ＯＦＦサイクルが所定回数以上であることを検知したときには、前記居住者に関する生存情報メールを前記安否確認メールとして送信する。
【手続補正１４】
【補正対象書類名】明細書
【補正対象項目名】００２２
【補正方法】変更
【補正の内容】
【００２２】
また、本発明に係る請求項１３に記載の居住者生存情報通知システムは、請求項１２に記載の居住者生存情報通知システムであって、前記所定回数は、２以上であり、前記集計の結果、何れの前記電化機器においても前記主電源のＯＮ−ＯＦＦサイクルが、前記所定の期間以内に、１以上前記所定回数未満であることを検知したときには、前記他の電気計測器は、前記集計の結果、所定の時間以上、前記主電源がＯＮである前記電化機器の台数が所定台数以上であることを検知したとき、前記居住者に関する生存情報メールを前記安否確認メールとして送信する。
【手続補正１５】
【補正対象書類名】明細書
【補正対象項目名】００２３
【補正方法】変更
【補正の内容】
【００２３】
また、本発明に係る請求項１４に記載の居住者生存情報通知システムは、請求項１２に記載の居住者生存情報通知システムであって、前記所定回数は、２以上であり、前記集計の結果、何れの前記電化機器においても前記主電源のＯＮ−ＯＦＦサイクルが、前記所定の期間以内に、１以上前記所定回数未満であることを検知したときには、前記他の電気計測器は、前記集計の結果、所定の時間以上、前記主電源がＯＮである前記電化機器の台数が所定台数未満であることを検知したとき、前記居住者に関する注意喚起メールを前記安否確認メールとして送信する。
【手続補正１６】
【補正対象書類名】明細書
【補正対象項目名】００２４
【補正方法】変更
【補正の内容】
【００２４】
また、本発明に係る請求項１５に記載の居住者生存情報通知システムは、請求項１２に記載の居住者生存情報通知システムであって、前記他の電気計測器は、前記所定の期間経過前に、何れかの前記電化機器の前記主電源のＯＮ−ＯＦＦサイクルが所定回数以上であることを検知したときには、当該検知のタイミングで、前記居住者に関する生存情報メールを前記安否確認メールとして送信する。
【手続補正１７】
【補正対象書類名】明細書
【補正対象項目名】００２５
【補正方法】変更
【補正の内容】
【００２５】
また、本発明に係る請求項１６に記載の居住者生存情報通知システムは、請求項１５に記載の居住者生存情報通知システムであって、前記他の電気計測器が、前記安否確認メールを送信した後、各前記電気計測器は、前記主電源のＯＮ−ＯＦＦサイクル回数をリセットし、その後、前記主電源のＯＮ−ＯＦＦサイクルの計測を再開する。
【手続補正１８】
【補正対象書類名】明細書
【補正対象項目名】００２６
【補正方法】変更
【補正の内容】
【００２６】
また、本発明に係る請求項１７に記載の居住者生存情報通知システムは、請求項１５に記載の居住者生存情報通知システムであって、前記他の電気計測器は、前記所定の期間経過後に、当該所定の期間以内に発生した各前記電化機器の前記主電源のＯＮ−ＯＦＦサイクル履歴情報を、前記所定のネットワークに対して送出する。
【手続補正１９】
【補正対象書類名】明細書
【補正対象項目名】００２７
【補正方法】変更
【補正の内容】
【００２７】
また、本発明に係る請求項１８に記載の居住者生存情報通知システムは、請求項１２に記載の居住者生存情報通知システムであって、前記他の電気計測器は、前記集計の結果、前記所定の期間以内に、何れかの前記電化機器の前記主電源のＯＮ−ＯＦＦサイクルが前記所定回数以上であることを検知したときには、前記所定の期間経過後に、前記居住者に関する生存情報メールを前記安否確認メールとして送信する。
【手続補正２０】
【補正対象書類名】明細書
【補正対象項目名】００２８
【補正方法】変更
【補正の内容】
【００２８】
また、本発明に係る請求項１９に記載の居住者生存情報通知システムは、請求項１１に記載の居住者生存情報通知システムであって、前記他の電気計測器は、前記集計の結果、所定の期間以内に、何れの前記電化機器においても主電源のＯＮ−ＯＦＦサイクルが一度も無いことを検知したときには、前記居住者に関する異常情報メールを前記安否確認メールとして送信する。
【手続補正２１】
【補正対象書類名】明細書
【補正対象項目名】００２９
【補正方法】変更
【補正の内容】
【００２９】
また、本発明に係る請求項２０に記載の居住者生存情報通知システムは、請求項１１に記載の居住者生存情報通知システムであって、前記一の電気計測器は、当該一の電気計測器が接続される前記電化機器の主電源のＯＮ状態が所定の時間以上連続していることを検知したときには、連続ＯＮ情報を前記他の電気計測器に送信し、前記他の電気計測器は、前記連続ＯＮ情報を受信したとき、前記居住者に関する異常情報メールを前記安否確認メールとして送信する。
【手続補正２２】
【補正対象書類名】明細書
【補正対象項目名】００３０
【補正方法】変更
【補正の内容】
【００３０】
また、本発明に係る請求項２１に記載の居住者生存情報通知システムは、請求項１１に記載の居住者生存情報通知システムであって、前記他の電気計測器は、前記居住者が正常であると判断する第一の条件と、前記居住者の生存確認の必要性があると判断する第二の条件とを、有しており、前記集計の結果、前記第一の条件を満たすとき、前記居住者に関する生存情報メールを前記安否確認メールとして送信し、前記集計の結果、前記第二の条件を満たすとき、前記居住者に関する注意喚起メールを前記安否確認メールとして送信し、前記第一の条件は、少なくとも、第一の前記電気計測器が計測する第一の電力量供給態様条件と、第二の前記電気計測器が計測する第二の電力量供給態様条件との、ＡＮＤ条件であり、前記第二の条件は、少なくとも、第三の前記電気計測器が計測する第三の電力量供給態様条件から構成されている。
【手続補正２３】
【補正対象書類名】明細書
【補正対象項目名】００３２
【補正方法】変更
【補正の内容】
【００３２】
また、本発明に係る請求項２３に記載の居住者生存情報通知システムは、住居に配設される複数の電化機器と、各前記電化機器とコンセントとの間に各々配設され、前記電化機器に対して供給される電流を少なくとも計測する複数の電気計測器と、前記電気計測器と所定のネットワークを介して接続されるメール送信器とを、備えており、前記電気計測器は、当該電気計測器が接続される前記電化機器への電力量に関する電力量情報を、前記所定のネットワークを介して、前記メール送信器へ送信し、前記メール送信器は、前記電気計測器から送信された前記電力量情報を集計し、当該集計の結果に応じて、前記住居に存する居住者の生存に関する情報の安否確認メールを、電気通信回線に対して送出する。
【手続補正２４】
【補正対象書類名】明細書
【補正対象項目名】００３６
【補正方法】変更
【補正の内容】
【００３６】
また、本発明に係る請求項２７に記載の居住者生存情報通知システムは、請求項２３に記載の居住者生存情報通知システムであって、前記メール送信器は、前記集計の結果、所定の期間以内に、何れかの前記電化機器の主電源のＯＮ−ＯＦＦサイクルが所定回数以上であることを検知したときには、前記居住者に関する生存情報メールを前記安否確認メールとして送信する。
【手続補正２５】
【補正対象書類名】明細書
【補正対象項目名】００３７
【補正方法】変更
【補正の内容】
【００３７】
また、本発明に係る請求項２８に記載の居住者生存情報通知システムは、請求項２７に記載の居住者生存情報通知システムであって、前記所定回数は、２以上であり、前記集計の結果、何れの前記電化機器においても前記主電源のＯＮ−ＯＦＦサイクルが、前記所定の期間以内に、１以上前記所定回数未満であることを検知したときには、前記メール送信器は、前記集計の結果、所定の時間以上前記主電源がＯＮである前記電化機器の台数が所定台数以上であることを検知したとき、前記居住者に関する生存情報メールを前記安否確認メールとして送信する。
【手続補正２６】
【補正対象書類名】明細書
【補正対象項目名】００３８
【補正方法】変更
【補正の内容】
【００３８】
また、本発明に係る請求項２９に記載の居住者生存情報通知システムは、請求項２７に記載の居住者生存情報通知システムであって、前記所定回数は、２以上であり、前記集計の結果、何れの前記電化機器においても前記主電源のＯＮ−ＯＦＦサイクルが、前記所定の期間以内に、１以上前記所定回数未満であることを検知したときには、前記メール送信器は、前記集計の結果、所定の時間以上前記主電源がＯＮである前記電化機器の台数が所定台数未満であることを検知したとき、前記居住者に関する注意喚起メールを前記安否確認メールとして送信する。
【手続補正２７】
【補正対象書類名】明細書
【補正対象項目名】００３９
【補正方法】変更
【補正の内容】
【００３９】
また、本発明に係る請求項３０に記載の居住者生存情報通知システムは、請求項２７に記載の居住者生存情報通知システムであって、前記メール送信器は、前記所定の期間経過前に、何れかの前記電化機器の前記主電源のＯＮ−ＯＦＦサイクルが所定回数以上であることを検知したときには、当該検知のタイミングで、前記居住者に関する生存情報メールを前記安否確認メールとして送信する。
【手続補正２８】
【補正対象書類名】明細書
【補正対象項目名】００４０
【補正方法】変更
【補正の内容】
【００４０】
また、本発明に係る請求項３１に記載の居住者生存情報通知システムは、請求項３０に記載の居住者生存情報通知システムであって、前記メール送信器が、前記安否確認メールを送信した後、各前記電気計測器は、前記主電源のＯＮ−ＯＦＦサイクル回数をリセットし、その後、前記主電源のＯＮ−ＯＦＦサイクルの計測を再開する。
【手続補正２９】
【補正対象書類名】明細書
【補正対象項目名】００４１
【補正方法】変更
【補正の内容】
【００４１】
また、本発明に係る請求項３２に記載の居住者生存情報通知システムは、請求項３０に記載の居住者生存情報通知システムであって、前記メール送信器は、前記所定の期間経過後に、各前記電気計測器から送信された、前記所定の期間以内に発生した各前記電化機器の前記主電源のＯＮ−ＯＦＦサイクル履歴情報を、前記電気通信回線に対して送出する。
【手続補正３０】
【補正対象書類名】明細書
【補正対象項目名】００４２
【補正方法】変更
【補正の内容】
【００４２】
また、本発明に係る請求項３３に記載の居住者生存情報通知システムは、請求項２７に記載の居住者生存情報通知システムであって、前記メール送信器は、前記集計の結果、前記所定の期間以内に、何れかの前記電化機器の前記主電源のＯＮ−ＯＦＦサイクルが前記所定回数以上であることを検知したときには、前記所定の期間経過後に、前記居住者に関する生存情報メールを前記安否確認メールとして送信する。
【手続補正３１】
【補正対象書類名】明細書
【補正対象項目名】００４３
【補正方法】変更
【補正の内容】
【００４３】
また、本発明に係る請求項３４に記載の居住者生存情報通知システムは、請求項２３に記載の居住者生存情報通知システムであって、前記メール送信器は、前記集計の結果、所定の期間以内に、何れの前記電化機器においても主電源のＯＮ−ＯＦＦサイクルが一度も無いことを検知したときには、前記居住者に関する異常情報メールを前記安否確認メールとして送信する。
【手続補正３２】
【補正対象書類名】明細書
【補正対象項目名】００４４
【補正方法】変更
【補正の内容】
【００４４】
また、本発明に係る請求項３５に記載の居住者生存情報通知システムは、請求項２３に記載の居住者生存情報通知システムであって、前記電気計測器は、当該電気計測器が接続される前記電化機器の主電源のＯＮ状態が所定の時間以上連続していることを検知したときには、連続ＯＮ情報を前記メール送信器に送信し、前記メール送信器は、前記連続ＯＮ情報を受信したとき、前記居住者に関する異常情報メールを前記安否確認メールとして送信する。
【手続補正３３】
【補正対象書類名】明細書
【補正対象項目名】００４５
【補正方法】変更
【補正の内容】
【００４５】
また、本発明に係る請求項３６に記載の居住者生存情報通知システムは、請求項２３に記載の居住者生存情報通知システムであって、前記メール送信器は、前記居住者の正常であると判断する第一の条件と、前記居住者の生存確認の必要性があると判断する第二の条件とを、有しており、前記集計の結果、前記第一の条件を満たすとき、前記居住者に関する生存情報メールを前記安否確認メールとして送信し、前記集計の結果、前記第二の条件を満たすとき、前記居住者に関する注意喚起メールを前記安否確認メールとして送信し、前記第一の条件は、少なくとも、第一の前記電気計測器が計測する第一の電力量供給態様条件と、第二の前記電気計測器が計測する第二の電力量供給態様条件との、ＡＮＤ条件であり、前記第二の条件は、少なくとも、第三の前記電気計測器が計測する第三の電力量供給態様条件から構成されている。
【手続補正３４】
【補正対象書類名】明細書
【補正対象項目名】００４６
【補正方法】変更
【補正の内容】
【００４６】
また、本発明に係る請求項３７に記載の居住者生存情報通知システムは、請求項１、請求項１１または請求項２３に記載の居住者生存情報通知システムであって、前記住居に設置されるセンサーを、さらに備えており、前記電気計測器、前記他の電気計測器または前記メール送信器は、前記センサーの出力結果をも加味して、前記安否確認メールを送出する。
【手続補正３５】
【補正対象書類名】明細書
【補正対象項目名】００５２
【補正方法】変更
【補正の内容】
【００５２】
また、本発明に係る請求項４３に記載の居住者生存情報通知システムは、請求項２、請求項１２または請求項２７に記載の居住者生存情報通知システムであって、前記電気計測器、前記他の電気計測器、または前記メール送信器は、前記所定の期間と前記所定回数とからなる対パラメータを、複数対、記憶する記憶部と、前記記憶部に記憶されている前記複数対の対パラメータから、一の対パラメータを選択する選択部とを、備えている。
【手続補正３６】
【補正対象書類名】明細書
【補正対象項目名】００５４
【補正方法】変更
【補正の内容】
【００５４】
また、本発明に係る請求項４５に記載の居住者生存情報通知システムは、請求項２１または請求項３６に記載の居住者生存情報通知システムであって、前記他の電気計測器または前記メール送信器は、複数の電力量供給態様条件を記憶する記憶部と、前記記憶部に記憶されている複数の前記電力量供給態様条件から、前記第一乃至第三の電力量供給態様条件を各々選択する選択部とを、備えている。
【手続補正３７】
【補正対象書類名】明細書
【補正対象項目名】００５５
【補正方法】変更
【補正の内容】
【００５５】
本発明の請求項１に記載の居住者生存情報通知システムは、電気計測器は、電化機器への電気の供給状況に応じて、住居に存する居住者の生存に関する情報の安否確認メールを、当該電気計測器が接続される所定のネットワークに対して送出する。
【手続補正３８】
【補正対象書類名】明細書
【補正対象項目名】００５７
【補正方法】変更
【補正の内容】
【００５７】
また、本発明に係る請求項１１に記載の居住者生存情報通知システムは、複数の電気計測器のうち、一の電気計測器は、電力量情報を他の電気計測器へ送信し、他の電気計測器は、電力量情報と自器における電力量に関する情報とを集計し、当該集計の結果に応じて、住居に存する居住者の生存に関する情報の安否確認メールを、当該他の電気計測器が接続される所定のネットワークに対して送出する。
【手続補正３９】
【補正対象書類名】明細書
【補正対象項目名】００５８
【補正方法】変更
【補正の内容】
【００５８】
したがって、少なくとも電流を計測することができる電気計測器を用いて、汎用性を持たせた居住者生存情報通知システムを提供することができる。さらに、複数の電気計測器の計測結果の集計に応じて居住者の生存に関する情報の安否確認メールを送信しているので、住居外に存する第三者への居住者生存確認の精度を向上させることができる。また、上記集計および上記安否確認メールの送信を、別装置を設けず、他の電気計測器実施している。したがって、居住者生存情報通知システムの構築コストの低減を図ることができる。
【手続補正４０】
【補正対象書類名】明細書
【補正対象項目名】００５９
【補正方法】変更
【補正の内容】
【００５９】
また、本発明に係る請求項２３に記載の居住者生存情報通知システムは、電気計測器は、電力量情報をメール送信器へ送信し、メール送信器は、電力量情報を集計し、当該集計の結果に応じて、住居に存する居住者の生存に関する情報の安否確認メールを電気通信回線に対して送出する。
【手続補正４１】
【補正対象書類名】明細書
【補正対象項目名】００６０
【補正方法】変更
【補正の内容】
【００６０】
したがって、少なくとも電流を計測することができる電気計測器を用いて、汎用性を持たせた居住者生存情報通知システムを提供することができる。さらに、複数の電気計測器の計測結果の集計に応じて居住者の生存に関する情報の安否確認メールを送信しているので、住居外に存する第三者への居住者生存確認の精度を向上させることができる。また、メール送信器の存在により、各電気計測器の構成は、簡略化可能できる。これにより、各電気計測器の大型化、消費電力増大および製造コスト増大を防止することができる。
【手続補正４２】
【補正対象書類名】明細書
【補正対象項目名】００６１
【補正方法】変更
【補正の内容】
【００６１】
また、本発明に係る請求項２、請求項１２または請求項２７に記載の居住者生存情報通知システムは、所定の期間以内に、所定回数以上、電化機器の主電源のＯＮ−ＯＦＦサイクルを検知したときには、居住者に関する生存情報メールを安否確認メールとして送信する。また、本発明に係る請求項９、請求項１９または請求項３４に記載の居住者生存情報通知システムは、所定の期間以内に、電化機器の主電源のＯＮ−ＯＦＦサイクルを一度も検知しないときには、居住者に関する異常情報メールを安否確認メールとして送信する。また、本発明に係る請求項１０、請求項２０または請求項３５に記載の居住者生存情報通知システムは、記電化機器の主電源のＯＮ状態が所定の時間以上連続していることを検知したときには、居住者に関する異常喚起メールを安否確認メールとして送信する。
【手続補正４３】
【補正対象書類名】明細書
【補正対象項目名】００６３
【補正方法】変更
【補正の内容】
【００６３】
また、本発明に係る請求項３、請求項１３または請求項２８に記載の居住者生存情報通知システムは、所定の期間以内に、所定回数未満である、電化機器の主電源のＯＮ−ＯＦＦサイクルを検知したとする。このとき、所定の時間以上主電源がＯＮであることを検知したとき、または、所定の時間以上、主電源がＯＮである電化機器の台数が所定台数以上であることを検知したとき、居住者に関する生存情報メールを安否確認メールとして送信する。また、本発明に係る請求項４、請求項１４または請求項２９に記載の居住者生存情報通知システムは、所定の期間以内に、所定回数未満である、電化機器の主電源のＯＮ−ＯＦＦサイクルを検知したとする。このとき、所定の時間未満主電源がＯＮであることを検知したとき、または、所定の時間以上、主電源がＯＮである電化機器の台数が所定台数未満であることを検知したとき、居住者に関する注意喚起メールを安否確認メールとして送信する。
【手続補正４４】
【補正対象書類名】明細書
【補正対象項目名】００６５
【補正方法】変更
【補正の内容】
【００６５】
また、本発明に係る請求項５、請求項１５または請求項３０に記載の居住者生存情報通知システムは、所定回数以上の主電源のＯＮ−ＯＦＦサイクルを検知したときには、当該検知のタイミングで、居住者に関する生存情報メールを安否確認メールとして送信する。
【手続補正４５】
【補正対象書類名】明細書
【補正対象項目名】００６７
【補正方法】変更
【補正の内容】
【００６７】
また、本発明に係る請求項６、請求項１６または請求項３１に記載の居住者生存情報通知システムは、安否確認メールを送信した後、主電源のＯＮ−ＯＦＦサイクル回数をリセットし、その後、主電源のＯＮ−ＯＦＦサイクルの計測を再開する。
【手続補正４６】
【補正対象書類名】明細書
【補正対象項目名】００７１
【補正方法】変更
【補正の内容】
【００７１】
また、本発明に係る請求項８、請求項１８または請求項３３に記載の居住者生存情報通知システムは、所定回数以上の主電源のＯＮ−ＯＦＦサイクルを検知したときには、所定の期間経過後に、居住者に関する生存情報メールを安否確認メールとして送信する。
【手続補正４７】
【補正対象書類名】明細書
【補正対象項目名】００７３
【補正方法】変更
【補正の内容】
【００７３】
また、本発明に係る請求項２１または請求項３６に記載の居住者生存情報通知システムは、第一の条件を満たすとき、居住者に関する生存情報メールを安否確認メールとして送信し、第二の条件を満たすとき、居住者に関する注意喚起メールを安否確認メールとして送信する。第一の条件は、少なくとも、第一の電気計測器が計測する第一の電力量供給態様条件と、第二の電気計測器が計測する第二の電力量供給態様条件との、ＡＮＤ条件であり、第二の条件は、少なくとも、第三の電気計測器が計測する第三の電力量供給態様条件から構成されている。
【手続補正４８】
【補正対象書類名】明細書
【補正対象項目名】００８１
【補正方法】変更
【補正の内容】
【００８１】
また、本発明に係る請求項３７に記載の居住者生存情報通知システムは、センサーの出力結果をも加味して、安否確認メールを送出する。
【手続補正４９】
【補正対象書類名】明細書
【補正対象項目名】００９３
【補正方法】変更
【補正の内容】
【００９３】
また、本発明に係る請求項４３に記載の居住者生存情報通知システムは、所定の期間と所定回数とからなる対パラメータを、複数対、記憶する記憶部と、記憶部に記憶されている複数対の対パラメータから、一の対パラメータを選択する選択部とを、備えている。また、本発明に係る請求項４４に記載の居住者生存情報通知システムは、複数の所定の期間を記憶する記憶部と、記憶部に記憶されている複数の所定の期間から、一の所定の期間を選択する選択部とを、備えている。また、本発明に係る請求項４５に記載の居住者生存情報通知システムは、複数の電力量供給態様条件を記憶する記憶部と、記憶部に記憶されている複数の電力量供給態様条件から、第一乃至第三の電力量供給態様条件を各々選択する選択部とを、備えている。